(57)【要約】【課題】十分な磁力を確保することにより照明器具を取付穴に確実に取付けることができる照明システムを提供する。【解決手段】複数個の磁石２２が間隔をあけて保持されている磁石保持体２１を、取付部位１１に設けられている取付穴１２の外周縁裏面１２ａに配置して、磁性体部２０ａを有する照明器具２０を磁石の磁力２２により吸引して取付穴１２に取付けるので、磁石２２同士の接触はなく、十分な磁力を確保して照明器具２０を取付穴１２に確実に取付けることができる。【選択図】図１
2009266423.tif 000002
【特許請求の範囲】
【請求項１】
取付部位に設けられている取付穴の外周縁裏面に磁石を配設し、磁性体部を有する照明器具を前記磁石の磁力により吸引して前記取付穴に取付ける照明システムであって、
前記磁石が間隔をあけて複数個保持された磁石保持体を前記取付穴の外周縁裏面に設けたことを特徴とする照明システム。
【請求項２】
前記磁石保持体が、前記取付穴の内周面に嵌合する嵌合部を有することを特徴とする請求項１記載の照明システム。
【請求項３】
前記磁石保持体が、前記取付穴から前記外周縁裏面に取付け可能であることを特徴とする請求項１または２に記載の照明システム。
【発明の詳細な説明】
【技術分野】
【０００１】
本発明は、取付穴の外周縁裏面に設けられている磁石の磁力によって磁性体部を有する照明器具を吸引して取付穴に取付ける照明システムに関するものである。
【背景技術】
【０００２】
従来より、磁石を用いて照明器具を天井に設置する照明システムが開示されている（例えば特許文献１参照）。
図１１に示すように、特許文献１に記載の照明システム１００では、天井１０１に、高周波磁界を発生させる磁力発生コイル１０２および永久磁石１０３からなる磁力ユニット１０４を所定ピッチで配設する。一方、光源であるランプ１０５に永久磁石１０６を取付け、天井１０１の永久磁石１０３との協働により、ランプ１０５を天井に取付ける。このとき、磁力発生コイル１０２により形成される高周波磁界により、ランプ１０５が発光する。これにより、照明システム１００を天井１０１の任意の場所に設置することができるとともに、配線無しで設置することができる。
【特許文献１】特開平９−５０７０３号公報（第４図）
【発明の開示】
【発明が解決しようとする課題】
【０００３】
しかしながら、前述したような従来の照明システム１００においては、天井１０１に設けられている永久磁石１０３が天井裏で相互に吸引接触しあうことで磁極が消失し、照明器具を固定するための十分な磁力が期待できない場合があるという問題があった。
【０００４】
本発明は、従来の問題を解決するためになされたもので、十分な磁力を確保することにより照明器具を取付穴に確実に取付けることができる照明システムを提供することを目的とする。
【課題を解決するための手段】
【０００５】
本発明の照明システムは、取付部位に設けられている取付穴の外周縁裏面に磁石を配設し、磁性体部を有する照明器具を前記磁石の磁力により吸引して前記取付穴に取付ける照明システムであって、前記磁石が間隔をあけて複数個保持された磁石保持体を前記取付穴の外周縁裏面に設けた構成を有している。
【０００６】
この構成により、複数個の磁石が間隔をあけて保持されている磁石保持体を、取付部位に設けられている取付穴の外周縁裏面に配置して、磁性体部を有する照明器具を磁石の磁力により吸引して取付穴に取付けるので、磁石同士の接触はなく、十分な磁力を確保して照明器具を取付穴に確実に取付けることができる。
【０００７】
また、本発明の照明システムは、前記磁石保持体が、前記取付穴の内周面に嵌合する嵌合部を有する構成を有している。
【０００８】
この構成により、嵌合部が取付穴に嵌合するので、天井裏の磁石保持体が取付穴の周囲に位置決めされ、照明器具を取付穴に取付けることができる。
【０００９】
さらに、本発明の照明システムは、前記磁石保持体が、前記取付穴から前記外周縁裏面に取付け可能である構成を有している。
【００１０】
この構成により、磁石保持体は取付穴から取付穴の外周縁裏面に配置することができるので、容易に照明器具を取付穴に取付けることができる。
【発明の効果】
【００１１】
本発明は、複数個の磁石が間隔をあけて保持されている磁石保持体を、取付部位に設けられている取付穴の外周縁裏面に配置して、磁性体部を有する照明器具を磁石の磁力により吸引して取付穴に取付けるので、磁石同士の接触はなく、十分な磁力を確保して照明器具を取付穴に確実に取付けることができるものである。
【発明を実施するための最良の形態】
【００１２】
以下、本発明の第１実施形態にかかる照明システムについて、図面を用いて説明する。
（実施例−１）
図１（Ａ）は本発明の第１実施形態にかかる照明システムにおいて照明器具が磁性体で形成されている場合を示す断面図、図１（Ｂ）は図１（Ａ）中Ｂ方向から見た平面図、図２は磁石保持体を構成するユニットの斜視図、図３は磁石保持体を２分割にしたユニットを取付穴から挿入して外周縁裏面に配置する手順を示す説明図、図４は照明器具が非磁性体で形成されている場合を示す断面図である。
【００１３】
図１（Ａ）に示すように、本発明にかかる照明システム１０は、取付部位である例えば、板厚１２ｍｍのプラスタスターボード等の天井１１に設けられている取付穴１２に照明器具２０を取付けるものであり、天井裏１１ａにおける取付穴１２の外周縁裏面１２ａには、複数個の例えば、フェライト、アルニコ、ノオジウム磁石等の強力な磁石２２を保持する磁石保持体２１が取付穴１２を中心とする円周上に配置されている。
【００１４】
図１（Ｂ）に示すように、この磁石保持体２１は半円形状をしたユニット２５Ａを有しており、２個のユニット２５Ａを合わせると全体で円環状を形成する。各ユニット２５Ａは複数個（ここでは、２個）の磁石２２を有しており、磁石２２は非磁性体である樹脂部２１ｂにより、間隔をあけて互いに接触しないように一体的に成型されている。なお、図２に示すように、ここでは、円を２分割して、２個のユニット２５Ａ、２５Ａを組み合わせることにより円形の磁石保持体２１を形成するようにしたが、この他、３分割以上に分割することもできる。また、各ユニット２５Ａに２個の磁石２２を保持する場合を示したが、３個以上の磁石を保持するようにしてもよい。
【００１５】
一方、図１（Ａ）に示すように、天井１１の取付穴１２に取付けられる照明器具２０は、磁性体部として少なくとも天板２０ａが鋼板等の磁性体で形成されている。照明器具２０としては、例えば光源としてＬＥＤ（図示省略）が用いられているものがある。なお、天井裏１１ａに配線されている電源線１３は、取付穴１２を介して照明器具２０に配線されている。
【００１６】
次に、上述した照明システム１０において照明器具２０を取付ける手順について説明する。
【００１７】
まず、天井１１に電源線１３を通す取付穴１２を開ける。
次に、図３に示すようにして、磁石保持体２１を２分割したユニット２５Ａを取付穴１２から挿入して外周縁裏面１２ａに配置する。すなわち、図３（Ａ）に示すように、ユニット２５Ａの一方の端面２１ａを取付穴１２から天井裏１１ａに挿入し（図３（Ａ）中矢印）、ユニット２５Ａの全体が天井裏１１ａに挿入されたら、図３（Ｂ）に示すように、倒して取付穴１２の外周縁裏面１２ａに配置する。ここでは、ユニット２５Ａは円を２分割にした半円形状をしているので、同様にして２個のユニット２５Ａを挿入して配置し、取付穴１２の外周縁裏面１２ａにおいて２個のユニット２５Ａを合わせて円形の磁石保持体２１となるように配置する。
【００１８】
次いで、電源線１３を照明器具２０に接続し、照明器具２０を天井裏１１ａの磁石２２の下方へ位置するように押し上げて、照明器具２０を天井裏１１ａの磁石２２で吸引して天井１１に取付ける。
【００１９】
以上、説明した照明システム１０によれば、複数個の磁石２２が間隔をあけて保持されている磁石保持体２１を、天井１１に設けられている取付穴１２の外周縁裏面１２ａに配置して、磁性体からなる天板２０ａを有する照明器具２０を磁石２２の磁力により吸引して取付穴１２に取付けるので、磁石２２同士の接触はなく、十分な磁力を確保して照明器具２０を取付穴１２に確実に取付けることができる。
また、磁石保持体２１を２分割してユニット２５Ａを形成しているので、ユニット２５Ａを取付穴１２から天井裏１１ａに挿入し、取付穴１２の外周縁裏面１２ａに磁石保持体２１を取付けることができるので、容易に照明器具２０Ａを取付穴１２に取付けることができる。
【００２０】
なお、図４に示すように、照明器具２０Ｂがアルミや樹脂等の非磁性体で形成されている場合には、照明器具２０Ｂの内部に磁性体部を形成する複数個の磁石２３を設けておく。これにより、天板２０ａが磁性体で形成された照明器具２０（図１参照）と同様に、照明器具２０Ｂを天井１１に取付けることができる。
【００２１】
（実施例−２）
図５（Ａ）は磁石保持体を展開したときの平面図、図５（Ｂ）は磁石保持体を折り畳んだときの平面図、図６（Ａ）は磁石保持体を取付穴から天井裏に挿入する状態を示す断面図、図６（Ｂ）は天井裏で磁石保持体を展開した状態を示す断面図である。
【００２２】
図５（Ａ）に示すように、この照明システム１０Ｂ（図６（Ｂ）参照）では、磁石保持体２１Ｂは、２個の磁石２２、２２を直交方向に配置して連結部材２４により「く」字状に連結された一対のユニット２５Ｂを有しており、両ユニット２５Ｂ、２５Ｂを開閉可能に接続するとともにバネ部材２６によって開く方向へ付勢されている。従って、外力が作用していない場合には、図５（Ａ）に示すように、全体矩形平面状となっている。また、図５（Ｂ）に示すように、作業者は、バネ部材２６の付勢力に抗して、両ユニット２５Ｂ、２５Ｂを「く」字状に重ねることができる。
【００２３】
従って、磁石保持体２１Ｂを取付穴１２の外周縁裏面１２ａに配設する際には、作業者は、図６（Ａ）に示すように、磁石保持体２１Ｂを二つ折りに重ねて全体「く」字状とし、一方の端部から取付穴１２に挿入して矢印方向へ回転させながら全体を天井裏１１ａに挿入する。次いで、手を離して、図６（Ｂ）に示すように、磁石保持体２１Ｂを展開して、取付穴１２の周囲の外周縁裏面１２ａに配置する。その後、照明器具２０を持ち上げて、天井裏１１ａの磁石２２によって照明器具２０を吸引して固定する。
【００２４】
次に、本発明の第２実施形態にかかる照明システムについて、図面を用いて説明する。
（実施例−３）
図７は磁石保持体を２分割したユニットの斜視図、図８（Ａ）〜（Ｃ）は２分割にした磁石保持体のユニットを取付穴から挿入して外周縁裏面に磁石保持体を配置する手順を示す説明図である。
【００２５】
図７に示すように、本発明にかかる照明システム１０Ｃ（図８（Ｃ）参照）で用いられる磁石保持体２１Ｃでは、図２において前述した磁石保持体２１に相当する鍔部２７に、取付穴１２の内周面に嵌合する嵌合部２８Ｃを設けてユニット２５Ｃを形成している。嵌合部２８Ｃは、円筒部材を複数（ここでは２つ）に分割したものである。また、鍔部２７には、複数個の磁石２２が所定の間隔で設けられている。
【００２６】
従って、上述した磁石保持体２１Ｃを取付穴１２に取付ける際には、作業者はユニット２５Ｃを１個ずつ取付穴１２に挿入する。この際、図８（Ａ）に示すように、ユニット２５Ｃの鍔部２７から取付穴１２に挿入して矢印方向へ回転して、ユニット２５Ｃを天井裏１１ａに挿入することができる。あるいは、嵌合部２８Ｃから取付穴１２に挿入することもできる。そして、嵌合部２８Ｃを取付穴１２の内周面に沿って配置し、同様にして、全てのユニット２５Ｃを天井裏１１ａに収容して取付穴１２に取付ける。
【００２７】
なお、先に収納したユニット２５Ｃの嵌合部２８Ｃを取付穴１２に沿って配置した後に、別のユニット２５Ｃを取付穴１２から挿入するのが困難な場合には、一旦、全てのユニット２５Ｃを天井裏１１ａに収容した後、嵌合部２８Ｃを取付穴１２に嵌合させるようにする。
【００２８】
その後、全てのユニット２５Ｃが取付穴１２に取付けられて、鍔部２７が円環状に形成されるとともに嵌合部２８Ｃが円筒形状に形成されたら、照明器具２０を持ち上げて、天井裏１１ａの磁石２２によって照明器具２０を吸引して固定する。
【００２９】
以上、説明した第２実施形態にかかる照明システム１０Ｃによれば、第１実施形態にかかる照明システム１０と同様の作用・効果を有するとともに、さらに、嵌合部２８Ｃが取付穴１２に嵌合するので、天井裏１１ａの磁石保持体２１Ｃが取付穴１２の周囲に位置決めされ、照明器具２０をずれることなく取付穴１２に取付けることができる。
【００３０】
なお、上述した磁石保持体２１Ｃにおいては、全体円筒形状の磁石保持体２１Ｃを２分割してユニット２５Ｃを形成した場合について説明したが、３つ以上に分割しても全く同様に適用できる。
【００３１】
（実施例−４）
次に、本発明にかかる照明システム１０の具体例について説明する。
図９（Ａ）は磁石保持体を展開する状態を示す正面図、図９（Ｂ）は磁石保持体を折り畳んだときの正面図、図１０（Ａ）は磁石保持体を取付穴から天井裏に挿入する状態を示す断面図、図１０（Ｂ）は天井裏で磁石保持体を展開して取付けた状態を示す断面図である。
【００３２】
本発明にかかる照明システム１０Ｄ（図１０（Ｂ）参照）で用いられる磁石保持体２１Ｄは、一対のアーム３１、３１を相対的に回動可能に有しており、回動中心にバネ部材３２が設けられていて、常時拡がる方向に付勢されてる。各アーム３１の先端には、磁石２２が取付けられている。また、回動中心には、取付穴１２の内周面に嵌合する嵌合部２８Ｄが取付けられている。
【００３３】
従って、磁石保持体２１Ｄを取付穴１２の外周縁裏面１２ａに配設する際には、作業者は、図１０（Ａ）に示すように、バネ部材３２の付勢力に抗して磁石保持体２１Ｄを二つ折りに重ねて、アーム３１の先端から取付穴１２に挿入する。アーム３１が天井裏１１ａに挿入されたら手を放して、図１０（Ｂ）に示すように、バネ部材３２の復帰力によりアーム３１、３１を拡げるとともに、嵌合部３３を取付穴１２に嵌合させて固定する。
【００３４】
なお、本発明の照明システムは、前述した各実施形態に限定されるものでなく、適宜な変形，改良等が可能である。
【図面の簡単な説明】
【００３５】
【図１】（Ａ）は本発明の第１実施形態にかかる照明システムにおいて照明器具が磁性体で形成されている場合を示す断面図、（Ｂ）は（Ａ）中Ｂ方向から見た平面図
【図２】磁石保持体を構成するユニットの斜視図
【図３】磁石保持体を２分割にしたユニットを取付穴から挿入して外周縁裏面に配置する手順を示す説明図
【図４】照明器具が非磁性体で形成されている場合を示す断面図
【図５】（Ａ）は磁石保持体を展開したときの平面図、（Ｂ）は磁石保持体を折り畳んだときの平面図
【図６】（Ａ）は磁石保持体を取付穴から天井裏に挿入する状態を示す断面図、（Ｂ）は天井裏で磁石保持体を展開した状態を示す断面図
【図７】磁石保持体を２分割したユニットの斜視図
【図８】（Ａ）〜（Ｃ）は２分割にした磁石保持体のユニットを取付穴から挿入して外周縁裏面に磁石保持体を配置する手順を示す説明図
【図９】（Ａ）は磁石保持体を展開する状態を示す正面図、（Ｂ）は磁石保持体を折り畳んだときの正面図
【図１０】（Ａ）は磁石保持体を取付穴から天井裏に挿入する状態を示す断面図、（Ｂ）は天井裏で磁石保持体を展開して取付けた状態を示す断面図
【図１１】従来の照明システムを示す断面図
【符号の説明】
【００３６】
１０  照明システム
１１  天井（取付部位）
１２  取付穴
１２ａ  外周縁裏面
２０  照明器具
２０ａ  天板（磁性体部）
２１  磁石保持体
２２  磁石
２８  嵌合部
【図１】
2009266423.tif 000003
【図２】
2009266423.tif 000004
【図３】
2009266423.tif 000005
【図４】
2009266423.tif 000006
【図５】
2009266423.tif 000007
【図６】
2009266423.tif 000008
【図７】
2009266423.tif 000009
【図８】
2009266423.tif 000010
【図９】
2009266423.tif 000011
【図１０】
2009266423.tif 000012
【図１１】
2009266423.tif 000013